(57)【要約】【課題】ユーザが装置モードを選択するのみで期待する装置構成まで自動登録すること。【解決手段】伝送装置１００は、バックアップ領域１０３に、設定データを複数組記憶し、外部端末２００からの指示に応じて任意の設定データを適用して自装置を起動する。【選択図】図２
2008104087.tif 000002
【特許請求の範囲】
【請求項１】
記憶領域に、設定データを複数組記憶し、端末からの指示に応じて任意の設定データを適用して自装置を起動することを特徴とする伝送装置。
【請求項２】
マスタのユーザ用データファイルに加え、装置モードを管理するためのデータを追加し、この装置モード毎にデータファイルを保持し、機器出荷前に予め取得したパラメータシートをもとに装置モード毎のデータファイルを作成し、ユーザが装置を建設する際の対象の装置モードを選択しての端末からの指示に応じて、装置モードに対応したユーザデータファイルに設定されているデータをマスタのデータファイルにコピーし、そのデータで自装置を起動することを特徴とする伝送装置。
【請求項３】
前記設定データをファイルシステムにより格納することを特徴とする請求項１または２記載の伝送装置
【請求項４】
伝送装置は記憶領域に、設定データを複数組記憶し、端末からの指示に応じて任意の設定データを適用して自装置を起動することを特徴とする伝送装置の設定システム。
【請求項５】
伝送装置はマスタのユーザ用データファイルに加え、装置モードを管理するためのデータを追加し、この装置モード毎にデータファイルを保持し、機器出荷前に予め取得したパラメータシートをもとに装置モード毎のデータファイルを作成し、ユーザが装置を建設する際の対象の装置モードを選択しての端末からの指示に応じて、装置モードに対応したユーザデータファイルに設定されているデータをマスタのデータファイルにコピーし、そのデータで自装置を起動することを特徴とする伝送装置の設定システム。
【請求項６】
前記設定データを前記伝送装置がファイルシステムにより格納することを特徴とする請求項４または５記載の伝送装置の設定システム。
【請求項７】
伝送装置が記憶領域に、設定データを複数組記憶し、端末からの指示に応じて任意の設定データを適用して自装置を起動することを特徴とする伝送装置の設定方法。
【請求項８】
伝送装置はマスタのユーザ用データファイルに加え、装置モードを管理するためのデータを追加し、この装置モード毎にデータファイルを保持し、機器出荷前に予め取得したパラメータシートをもとに装置モード毎のデータファイルを作成し、ユーザが装置を建設する際の対象の装置モードを選択しての端末からの指示に応じて、装置モードに対応したユーザデータファイルに設定されているデータをマスタのデータファイルにコピーし、そのデータで自装置を起動することを特徴とする伝送装置の設定方法。
【請求項９】
前記設定データを前記伝送装置がファイルシステムにより格納することを特徴とする請求項７または８記載の伝送装置の設定方法。
【請求項１０】
コンピュータに請求項１から３のいずれか１項に記載の機能を実現させることを特徴とするプログラム。
【発明の詳細な説明】
【技術分野】
【０００１】
本発明は、伝送装置を対象装置モードの構成状態にするための設定技術に関する。
【背景技術】
【０００２】
従来の基幹伝送装置では、対象装置モードの構成状態にするためには、装置を初期状態で起動した後、外部端末からユーザがコマンドを選択して設定することが必要であった。特に、伝送装置は一般的な他の情報処理装置に比べ複雑な設定が必要である。
【０００３】
伝送装置では装置の初期状態としての構成管理データを持っている。このデータには装置内に実装されているパッケージの登録、装置間ならびに装置外部がからアクセスできるための設定、ログイン登録等の多数の設定項目が未登録であるため、伝送装置建設時にユーザがパラメータシートを確認しながら設定を実行している。
【０００４】
ところが、この方法ではユーザが装置建設時に手動でパラメータシートを確認しながらの設定であるため、設定に相当数の時間が必要となり、設定ミスをした場合は途中で設定を戻すことができず、再度、装置を初期状態に戻してから再設定していた。そのため予定していた現地調整スケジュール内に伝送装置の立上げが完了しない問題が発生し、エンドユーザにまで迷惑を掛ける場合が考えられる。
【０００５】
ここで、ホスト情報処理装置に接続するプログラムストアード方式の通信処理装置の制御プログラムを格納する複数の記憶手段と、これらの複数の記憶手段の内の一つを選択して主記憶とする選択手段と、この選択手段に選択指示をした後、初期化処理を起動する手段とを有し、記憶手段に記憶された複数の制御プログラムを選択的に起動する技術が提案されている（例えば、特許文献１参照）。
【０００６】
また、局データセーブ処理部と局データエリア管理部とバックアップファイルとを備え，バックアップファイルに局データ管理エリアと複数の局可変データを格納する複数の局データエリアを設け、局データセーブ処理部は局データの指定または指定の無いセーブの指示に応じて局データエリア管理部を起動し、局データ指定があると対応するバックアップファイルの局データエリアにメモリをセーブし、指定が無いと局データ管理エリアの情報により最旧の局データエリアを検出してメモリ情報をセーブするよう構成することで、交換機システムのデバッグ試験及び現局における局可変データのセーブ及びＩＰＬの管理を誤りなく且つ効率的に管理することができる技術が提案されている（例えば、特許文献２参照）。
【０００７】
また、マスタ局には、通信路を介して複数台のスレーブ局が通信可能に結合され、各スレーブ局は、マスタ局から送信されてくるパラメータを内部メモリに登録し、また、各スレーブ局は、マスタ局から送信されてくるパラメータ番号に対応するパラメータデータを内部メモリから読み出して動作環境の設定を行うことで、システムに結合された各端末装置へのパラメータの設定および設定変更を容易に行えるマスタスレーブネットワークシステムを提供することができる技術が提案されている（例えば、特許文献３参照）。
【特許文献１】特開平３−０８０７３４号公報
【特許文献２】特開平５−０２２４１０号公報
【特許文献３】特開平６−００６８６３号公報
【発明の開示】
【発明が解決しようとする課題】
【０００８】
しかしながら、上述した従来例においては次のような問題点があった。
【０００９】
ユーザのレベルによっては、外部端末からユーザがコマンド設定するため設定ミスに気づかず、そのまま運用状態に入り、運用中に問題が発生することがあった。
【００１０】
また、伝送装置建設時の現調工数が多くなり、また、社内での開発評価、出荷前の評価でも初期状態からの評価項目が削減できなかった。
【００１１】
また、伝送装置は運用中に伝送路の損失に合わせて装置モードを変更することが多いため、その都度、装置データ状態を初期状態に戻してからユーザが手動で設定する必要があった。
【００１２】
さらに、従来、伝送装置は複雑な設定が必要であるとユーザに思われており、ユーザの伝送装置に対する操作性のイメージ、ひいては競争力の強化の妨げとなるおそれもあった。
【００１３】
本発明は、以上説明した問題点を解決するためになされたものである。その目的は、ユーザが装置モードを選択するのみで期待する装置構成まで自動登録することにある。
【課題を解決するための手段】
【００１４】
上記課題を解決するために、本発明は、記憶領域に、設定データを複数組記憶し、端末からの指示に応じて任意の設定データを適用して自装置を起動する伝送装置を提供する。
【００１５】
また、本発明は、マスタのユーザ用データファイルに加え、装置モードを管理するためのデータを追加し、この装置モード毎にデータファイルを保持し、機器出荷前に予め取得したパラメータシートをもとに装置モード毎のデータファイルを作成し、ユーザが装置を建設する際の対象の装置モードを選択しての端末からの指示に応じて、装置モードに対応したユーザデータファイルに設定されているデータをマスタのデータファイルにコピーし、そのデータで自装置を起動する伝送装置を提供する。
【００１６】
また、本発明は、伝送装置は記憶領域に、設定データを複数組記憶し、端末からの指示に応じて任意の設定データを適用して自装置を起動する伝送装置の設定システムを提供する。
【００１７】
また、本発明は、伝送装置はマスタのユーザ用データファイルに加え、装置モードを管理するためのデータを追加し、この装置モード毎にデータファイルを保持し、機器出荷前に予め取得したパラメータシートをもとに装置モード毎のデータファイルを作成し、ユーザが装置を建設する際の対象の装置モードを選択しての端末からの指示に応じて、装置モードに対応したユーザデータファイルに設定されているデータをマスタのデータファイルにコピーし、そのデータで自装置を起動する伝送装置の設定システムを提供する。
【００１８】
また、本発明は、伝送装置が記憶領域に、設定データを複数組記憶し、端末からの指示に応じて任意の設定データを適用して自装置を起動する伝送装置の設定方法を提供する。
【００１９】
また、本発明は、伝送装置はマスタのユーザ用データファイルに加え、装置モードを管理するためのデータを追加し、この装置モード毎にデータファイルを保持し、機器出荷前に予め取得したパラメータシートをもとに装置モード毎のデータファイルを作成し、ユーザが装置を建設する際の対象の装置モードを選択しての端末からの指示に応じて、装置モードに対応したユーザデータファイルに設定されているデータをマスタのデータファイルにコピーし、そのデータで自装置を起動する伝送装置の設定方法を提供する。
【発明の効果】
【００２０】
本発明によれば、ユーザが伝送装置を建設する際のデータ設定の投入を行うことなく対応でき、ユーザの作業工数の削減ならびにデータ投入時のミスを無くすことができ、誤った状態での運用を回避することができる。また、運用中に伝送装置を別の装置構成に変更する場合も伝送装置に接続された架前端末から対象の装置モードを選択することで選択した装置モードの構成で立上げることができ、これにより、装置モード変更時についても装置導入時と同様な効果を得ることができる。また、社内での開発評価、出荷前の評価でも初期状態からの評価項目が削減できるため、評価工数と評価期間短縮にも効果がある。さらに、簡易な操作で設定が完了する為ユーザの伝送装置に対する操作性のイメージ向上と製品の競争力強化を図ることができる。
【発明を実施するための最良の形態】
【００２１】
以下、本発明の第１の実施の形態について図面を参照して詳細に説明する。なお、各図において共通する部分には、同一の符号が付されている。
【００２２】
まず、図１において、本実施の形態におけるユーザ別データ管理によるプリインストールモデルの実現手法を説明する。マスタのユーザ用データファイルに加え、装置モードを管理するためのデータを追加し、この装置モード毎にデータファイルを用意する。
【００２３】
工場から出荷する前にお客様から頂いたパラメータシートをもとに装置モード毎のデータファイルを作成してから伝送装置の出荷を行う。
【００２４】
ユーザが伝送装置を建設する際に対象の装置モードを選択したタイミングで、装置モードに対応したユーザデータファイルに設定されているデータをマスタのデータファイルにコピーし、そのデータで伝送装置を起動することで対象の装置モードのデータが設定された状態で立上げることができる。
【００２５】
図２において、本実施の形態における伝送装置の設定システムの構成を説明する。光伝送を制御する伝送装置１００、対象装置を制御する為のコマンド解析部１０１、制御データのデータ処理部１０２、制御データのバックアップ領域１０３、運用中の制御データのある運用データ領域１０４、装置を制御するコマンドを発行する外部端末２００から構成されている。
【００２６】
これらの各部はそれぞれ次に示す動作を実行する。
光伝送を制御する伝送装置１００は、例えば、２．４Ｇ（ギガ）または１０Ｇの４０波分の光を波長多重化して数百キロの光伝送を制御する装置である。
【００２７】
外部端末２００では、ユーザが伝送装置に対する制御、監視を実行するためのＧＵＩを具備している。コマンド解析部は、外部端末２００から受信したコマンドを装置内部で使用するコマンドフォーマットに変換、また外部端末２００に応答を返すときは外部フォーマットに変換を行う。
【００２８】
制御データ処理部１０１は、コマンド解析部１０１から受信したコマンド内容を解析し、解析内容に応じた処理を実行する。
【００２９】
バックアップ領域１０３は、伝送装置の制御に必要なデータをＲＯＭ領域に保持しておき、装置起動時にデータを復元する際に使用する。
【００３０】
運用データ領域１０４は、伝送装置が運用中に使用する制御データをＲＡＭ領域に保持して使用する。
【００３１】
プリイントールモデルの仕組みを以下に説明する。
装置モード選択のためのＧＵＩを外部端末２００に用意し、ユーザがＧＵＩ上で装置モードＡを選択して実行ボタンを押下した時点で、装置モード指定要求を伝送装置１００（コマンド解析部１０１）に送信する。
【００３２】
コマンド解析部１０１は、受信したコマンドを内部フォーマットに変換しデータ処理部１０２に送信する。
【００３３】
データ処理部１０２は、コマンド解析部１０１から受信したコマンド内容を解析しバックアップ領域１０３内から装置モードＡのデータを選択する。マスタのユーザデフォルトデータを運用データ領域１０４のテンポラリのユーザデータに退避後装置モードＡのユーザデータをユーザデフォルトデータにコピーする。コピー完了後、データ処理部１０２はコマンド処理部１０１を経由して外部端末２００に装置モード指定応答を送信する。
【００３４】
外部端末２００のＧＵＩ上で装置モードＡのデータで良いかどうかユーザに確認する。確認ＮＧの場合は、運用データ領域１０４のテンポラリのユーザ領域に退避したデータをバックアップ領域１０３のマスタのユーザデフォルトデータにコピーすることで、データを前の状態に復元する。
【００３５】
次に、図３に示すように、ユーザがＯＫボタンを押下し、伝送装置１００に装置再起動要求が送信され、コマンド処理部１０１を経由してデータ処理部１０２で装置の再起動を実行する。
【００３６】
再起動後、データ処理部１０２ではバックアップ１０３のマスタのデータを運用データ領域１０４の運用データにコピーする。
【００３７】
そして、運用データ領域１０４の運用データを光伝送用ＰＫＧであるＡ−ＰＫＧ、Ｂ−ＰＫＧ、Ｃ−ＰＫＧに設定することで光伝送が開始する。
【００３８】
次に、図４を参照して本実施の形態の全体の動作について詳細に説明する。
【００３９】
バックアップ領域１０３は、マスタのユーザデータ領域と装置モード別ユーザデータ管理領域があり、装置モード別ユーザデータ管理領域は、装置モードＡユーザデータ、装置モードＢユーザデータ、装置モードＣユーザデータで構成する。
【００４０】
運用データ領域１０４は、運用のユーザデータ領域とテンポラリのユーザデータ領域で構成する。
【００４１】
装置モードＡが選択された場合、マスタのユーザデータを運用データ領域１０４のテンポラリのユーザデータ領域に保持しておき、バックアップ領域１０３の装置モードＡのユーザデータをマスタのユーザデータ領域にコピーする。なお、この時点で操作ミスがあり元の状態にロールバックしたい場合は、ロールバック用のコマンドを実行することで、運用データ領域１０４のテンポラリのユーザデータをバックアップ領域１０４のマスタのユーザデータ領域にコピーすることで復元できる。
【００４２】
装置モードの選択に間違いが無ければ、装置の再起動を実行し、バックアップ領域１０３のマスタのユーザデータを運用データ領域１０４の運用のユーザデータにコピーし、Ａ−ＰＫＧ、Ｂ−ＰＫＧ、Ｃ−ＰＫＧに設定することで光伝送が開通する。
【００４３】
上記の本実施の形態によれば、ユーザからのパラメータシートにより装置モード毎に設定するデータが出荷前に決定しているため、工場から出荷する前に設定データをバックアップ領域１０３の装置モード別のユーザデータに設定する。どの装置モードの伝送装置が出荷されているかは、現地の局舎に入ってからわかるため、装置建設時に装置モードを選択して対象装置モードで起動することが可能となる。そのため装置建設時の現調工数の削減が可能な上、本装置の設定が複雑なこともあり、ユーザによる設定ミスを防止することができ、誤った状態での運用を回避することができる。しかもユーザ見れば、出荷前にプリインストール実行することになる為ユーザから追加費用を請求できる。当然、社内での開発評価、出荷前の評価でも初期状態からの評価項目が削減できるため、評価工数と評価期間短縮にも効果がある。
【００４４】
また、本装置は運用中に伝送路の損失に合わせて装置モードを変更することが多いため、その都度、装置データ状態を初期状態に戻してからユーザが手動で設定する必要があったが、本方式を用いることで、変更する装置モードを選択して装置を再起動するのみで、新しい装置モードのデータに変更することが可能となる。これにより、装置モード変更時についても装置導入時と同様な効果を得ることができる。
【００４５】
また、従来、伝送装置は複雑な設定が必要であるとユーザに思われていたが、今回装置モードを選択して再起動することで基本的な設定が完了する為ユーザの本装置に対する操作性のイメージ向上と本製品の競争力強化が図れる。
【００４６】
また、運用中にデータ消失が発生した場合も、直前までのデータを自動バックアップしているため、運用データの復元が容易にできる。
【００４７】
次に、本発明の第２の実施の形態について図面を参照して説明する。
【００４８】
図５を参照すると、バックアップ領域はファイルシステムを搭載している為、装置モード別のユーザデータは３種類固定では無く、ユーザの種別データを別領域に保持しており、指定されたユーザの対象装置モードのユーザデータを選択することができる。そのため、ユーザ毎に異なる設定データを要求されたとしても、対象ユーザ用のファイルを追加することで期待する装置データで起動することができる。
【００４９】
なお、上述する各実施の形態は、本発明の好適な実施の形態であり、本発明の要旨を逸脱しない範囲内において種々変更実施が可能である。例えば、伝送装置１００および外部端末２００の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００５０】
上述する各実施の形態は、伝送装置１００および外部端末２００が１つのコンピュータシステムとして実現されている構成について説明したが、機能毎に複数の装置などが追加された構成にも適用可能であることはもちろんである。
【図面の簡単な説明】
【００５１】
【図１】本発明の第１の実施の形態における伝送装置の設定システムのユーザ別データ管理によるプリインストールモデルの実現手法を説明する図である。
【図２】本発明の第１の実施の形態における伝送装置の設定システムの構成を示すブロック図である。
【図３】本発明の第１の実施の形態における再起動を実行した後の図である。
【図４】本発明の第１の実施の形態における処理動作を説明する図である。
【図５】本発明の第２の実施の形態における伝送装置の設定システムの構成を示すブロック図である。
【符号の説明】
【００５２】
１００    伝送装置
１０１    コマンド解析部
１０２    データ処理部
１０３    バックアップ領域
１０４    運用データ領域
２００    外部端末
【図１】
2008104087.tif 000003
【図２】
2008104087.tif 000004
【図３】
2008104087.tif 000005
【図４】
2008104087.tif 000006
【図５】
2008104087.tif 000007